(57)【要約】【課題】  覆道やトンネル等の構造物出入口の上縁部分に設置する雪庇発生防止装置において、雪庇防止柵の風上側の積雪に対して太陽光が照らして融雪を促がして積雪で埋まって機能を失うのを防ぎ、付着した雪が融けても風下側に水滴が落下しないため氷柱が発生しない構造物出入口等の雪庇防止柵を提供する。【解決手段】  雪庇防止柵は上下に複数段に設けた横長の防雪板５で構成され、防雪板５は側面視が略凸な板であり、防雪板５の上下端部は垂直な取付面６とし、防雪板５の取付面６の間を風下側に緩く凸な凸部８とし、防雪板５の凸部８の上側傾斜面のほぼ全面に多数の透孔９を設けた。【選択図】図６
0003162243.tif 000002
【実用新案登録請求の範囲】
【請求項１】
構造物出入口等の屋上端部に取り付けた雪庇防止柵において、雪庇防止柵は上下に複数段に設けた横長の防雪板で構成され、防雪板は側面視が略凸な板であり、防雪板の上下端部は垂直な取付面とし、防雪板の取付面の間を風下側に緩く凸な凸部とし、防雪板の凸部の上側傾斜面のほぼ全面に多数の透孔を設けた構造物出入口等の雪庇防止柵。
【考案の詳細な説明】
【技術分野】
【０００１】
本考案は、覆道やトンネル等の構造物出入口の上縁部分に設置する雪庇発生防止装置に関する。
【背景技術】
【０００２】
降雪地域では、冬季間の降雪時に一定方向の季節風（主に北西風）があると、屋上がほぼ平らな構造物（覆道やトンネル及びシェルターなど）風下側の上縁部分に屋上の積雪が迫り出してきて雪庇が発生する。この雪庇は、屋上を吹き越す風がその構造物の風下側で風速を落して下方に向かって巻き込む渦となり、運ばれてきた雪がその粘着性によって屋上の積雪に付着することにより発生するもので、それは徐々に風下に向かって成長してゆく。大きく成長した雪庇は、自重により落下するので通過する車両や通行人に損害や危害を与えることがある。
【０００３】
このような、雪庇による危害や損害を防止するため、屋上の南端から東端にかけて取り付ける雪庇発生防止装置が知られている。
【０００４】
例えば、特許第３０２０４６６号公報に示されるように、建造物又は構造物の端部上縁の長手方向に設けられた雪庇防止装置であって、上記端部上縁から建造物又は構造物の外側に向かって張り出すように前傾する前傾面部と、この前傾面部の上端から建造物又は構造物の上側に向かって低くなるように水平面に対して４５°〜６０°で傾斜する傾斜面部とを備えた物が知られている。
【０００５】
この発明によれば、シェルター上を雪を伴った風が吹き、吹き付けた風が上記雪庇発生防止柵を通過するとき、風は傾斜面部に沿って風速を速め、上方にしかも遠くに誘導されるので、下方に雪を巻き込むことがない。このため、雪がシェルターの壁面に接触しにくい。しかも、雪庇発生防止装置の前傾面部は風下側に前傾しているので、なおさら雪が付着しにくい。したがって、雪庇の発生が有効に防止されるとされている。
【０００６】
また、特開２００６−９０１１６号公報に示されるように、風受面と、該風受面に形成された複数の傾斜面と、該傾斜面に形成された透孔とを有し、風を透孔を通過させることにより風圧荷重を減少させる防風パネルであり、前記傾斜面が敷地側方向に向かって斜下向きに形成され、敷地側方向に向かって斜上向きにガイド傾斜面が形成され、これら傾斜面とガイド傾斜面とが交互に配置されている物が知られている。つまり、透孔を有する傾斜面は凸部の下半分に設けられ、無孔のガイド傾斜面は凸部の上半分に設けられ、凸部側から風が吹き付けるものである。
【０００７】
この発明によれば、傾斜面とガイド傾斜面とが交互に配置されているので、ガイド傾斜面に当接した風は、ガイド傾斜面に案内されて上方へ流れて傾斜面に案内される。したがって、風を効率良く透孔に導くことができ、また、風向をより上方にすることができるとされている。
【０００８】
また、意匠登録第７１８３０８号公報に示されるように、道路への吹雪を和らげる防雪柵の防雪板として、断面半円状に凸な板のほぼ全面に多数の透孔を設けたものが知られている。この防雪板は、多数の透孔を吹雪が通り抜けることにより和らげようとするもので、風向を変えようとするものではない。
【先行技術文献】
【特許文献】
【０００９】
【特許文献１】特許第３０２０４６６号公報
【特許文献２】特開２００６−９０１１６号公報
【特許文献３】意匠登録第７１８３０８号公報
【考案の概要】
【考案が解決しようとする課題】
【００１０】
上記の、特許第３０２０４６６号公報に示されるものでは、風は傾斜面部に沿って風速を速め、上方にしかも遠くに誘導されるもので、傾斜面部が積雪で埋まってしまうと、雪庇発生防止装置側から太陽に照らされることがないため積雪が融けず、その機能を発揮することができなくなる。
【００１１】
また、特開２００６−９０１１６号公報に示されるものを雪庇防止柵に応用したとすると、風上側の無孔のガイド傾斜面に積雪すると風を透孔に導く機能を失ってしまう。また、風下側の透孔を有する傾斜面への積雪が融けると、一部の水滴は透孔から落下するが、残りの水滴は傾斜面とガイド傾斜面の境から落下し、積雪が日中に融けて夜間に氷柱となり、日中に路面に落下する危険が有る。
【００１２】
そこで本考案は、雪庇防止柵の風上側の積雪に対して太陽光が照らして融雪を促がして積雪で埋まって機能を失うのを防ぎ、付着した雪が融けても風下側に水滴が落下しないため氷柱が発生しない構造物出入口等の雪庇防止柵を提供することを目的とする。
【課題を解決するための手段】
【００１３】
請求項１の考案の構造物出入口等の雪庇防止柵は、構造物出入口等の屋上端部に取り付けた雪庇防止柵１，21において、雪庇防止柵１，21は上下に複数段に設けた横長の防雪板５，15，22で構成され、防雪板５，15，22は側面視が略凸な板であり、防雪板５，15，22の上下端部は垂直な取付面６，16とし、防雪板５，15，22の取付面６，16の間を風下側に緩く凸な凸部８，18とし、防雪板５，15の凸部８，18の上側傾斜面のほぼ全面に多数の透孔９，19を設けたものである。
【考案の効果】
【００１４】
請求項１の考案によれば、防雪板５，15，22の取付面６，16の間を風下側に緩く凸な凸部８，18とし、防雪板５，15の凸部８，18の上側傾斜面のほぼ全面に多数の透孔９，19を設けたから、雪庇防止柵１，21の防雪板５，15，22の凸部８，18がほぼ南向きとなり、太陽光が多数の透孔９，19を通過でき、ほぼ北向きの風上側の積雪に対して太陽光が照らして融雪を促がして積雪で埋まって機能を失うのを防ぐことができる。
【００１５】
また、風下側の透孔９，19を有する凸部８，18上側傾斜面への積雪が融けると、大半の水滴Ｗは透孔９，19から落下するが、残りの水滴Ｗは緩く凸な凸部８，18としたことにより下側傾斜面に伝わり、下段の透孔９，19から落下するから、付着した雪が融けても風下側に水滴Ｗが落下しないため氷柱が発生しない。
【図面の簡単な説明】
【００１６】
【図１】図１は構造物出入口等の雪庇防止柵の実施例１を示す正面図である。
【図２】図２は図１の側面図である
【図３】図３は図１の平面図である。
【図４】図４は図１の斜視図である。
【図５】図５は図１の部分拡大図である。
【図６】図６は図５の縦断面図である。
【図７】図７は図６の別な実施例を示す図である。
【図８】図８は構造物出入口等の雪庇防止柵の実施例２を示す斜視図である。
【考案を実施するための形態】
【００１７】
雪庇防止柵の風上側の積雪に対して太陽光が照らして融雪を促がして積雪で埋まって機能を失うのを防ぎ、付着した雪が融けても風下側に水滴が落下しないため氷柱が発生しない構造物出入口等の雪庇防止柵を提供するという目的を、雪庇防止柵１，21は上下に複数段に設けた横長の防雪板５，15，22で構成され、防雪板５，15，22は側面視が略凸な板であり、防雪板５，15，22の上下端部は垂直な取付面６，16とし、防雪板５，15の取付面６，16の間を風下側に緩く凸な凸部８，18とし、防雪板５，15，22の凸部８，18の上側傾斜面のほぼ全面に多数の透孔９，19を設けたことにより実現した。
【実施例１】
【００１８】
図１は、本考案の実施例１に係る構造物出入口等の雪庇防止柵１である。
【００１９】
この雪庇防止柵１は、屋上が平らな覆道やシェルターの、季節風により雪庇が発生する南から東方向の出入口の屋上端部に取り付けられ、雪庇防止柵１の風下側が出入口となる。
【００２０】
雪庇防止柵１には、側面視が略Ｌの字状の柵枠２を設け、柵枠２は構造物屋上にアンカーボルト等で固定される。
【００２１】
複数の柵枠２は連結杆３で互いに連結され、屋上の幅に見合った雪庇防止柵１が構成される。
【００２２】
柵枠２の上端には上方が風下側に傾斜した薄い板である雪切板４を取り付け、雪庇防止柵１への積雪を極力避け、吹き付けた風雪を上方に誘導する。
【００２３】
雪切板４の下方の柵枠２には上下に複数段に横長の防雪板５を取り付ける。防雪板５は側面視が半円弧状に凸な板である。
【００２４】
防雪板５上下端部は垂直な取付面６とし、取付面６に設けた取付孔７により柵枠２に取り付ける。防雪板５の取付面６の間を風下側に緩く凸な凸部８とし、防雪板５の凸部８の上側傾斜面のほぼ全面に多数の透孔９を設ける。防雪板５に吹き付けた風雪を凸部８の下側傾斜面で案内し上側傾斜面の透孔９から上方に誘導する。
【００２５】
実施例１では、防雪板５の高さ約２５センチメートル、長さ約１１０センチメートルとし、直径が約１．４センチメートルの透孔９を約３００個設け、凸部８が取付面６より約７センチメートル突出させた。その防雪板５を、９段に取り付けた高さ約２２０センチメートルの雪庇防止柵１を示している。
【００２６】
このとき、防雪板５の取付面６の間を風下側に緩く凸な凸部８とし、防雪板５の凸部８の上側傾斜面のほぼ全面に多数の透孔９を設けたから、雪庇防止柵１の防雪板５の凸部８がほぼ南向きとなり、太陽光が多数の透孔９を通過でき、ほぼ北向きの風上側の積雪に対して太陽光が照らして融雪を促がして積雪で埋まって機能を失うのを防ぐことができる。
【００２７】
また、風下側の透孔９を有する凸部８の上側傾斜面への積雪が融けると、大半の水滴Ｗは透孔９から落下するが、残りの水滴Ｗは緩く凸な凸部８としたことにより下側傾斜面に伝わり、下段の透孔９から落下するから、付着した雪が融けても風下側に水滴Ｗが落下しないため氷柱が発生しない。
【００２８】
図７に示すのは、防雪板５の別な実施例を示す防雪板15である。防雪板15は側面視が台形状に凸な板である。
【００２９】
防雪板15の上下端部は垂直な取付面16とし、防雪板15の取付面16の間を風下側に緩く凸な凸部18とし、凸部18には上側傾斜面18aと下側傾斜面18bを設け、凸部18の上側傾斜面18aと下側傾斜面18bの間に僅かな垂直面を設けて鈍角につなげ、防雪板15の凸部18の上側傾斜面18aのほぼ全面に多数の透孔19を設ける。防雪板15に吹き付けた風雪を凸部18の下側傾斜面18bで案内し上側傾斜面18aの透孔19から上方に誘導する。
【００３０】
このとき、防雪板15の取付面16の間を風下側に緩く凸な凸部18とし、防雪板15の凸部18の上側傾斜面18aのほぼ全面に多数の透孔19を設けたから、雪庇防止柵１の防雪板15の凸部18がほぼ南向きとなり、太陽光が多数の透孔19を通過でき、ほぼ北向きの風上側の積雪に対して太陽光が照らして融雪を促がして積雪で埋まって機能を失うのを防ぐことができる。
【００３１】
また、風下側の透孔19を有する凸部18の上側傾斜面18aのへの積雪が融けると、大半の水滴Ｗは透孔19から落下するが、残りの水滴Ｗは緩く凸な凸部18としたことにより下側傾斜面18bに伝わり、下段の透孔19から落下するから、付着した雪が融けても風下側に水滴Ｗが落下しないため氷柱が発生しない。
【実施例２】
【００３２】
図８は、本考案の実施例２に係る構造物出入口等の雪庇防止柵21である。
【００３３】
この雪庇防止柵21は、屋上が略円弧状なトンネル20の、季節風により雪庇が発生する南から東方向のトンネル20出入口の屋上端部に取り付けられ、雪庇防止柵１の風下側が出入口となる。
【００３４】
雪庇防止柵21は上下に複数段に設けた横長の防雪板22で構成され、円弧状の屋上に扇形に取り付けられ、防雪板22は上段ほど長さが長くなっている。
【００３５】
防雪板22は側面視が略凸な板であり、防雪板22の上下端部は垂直な取付面とし、防雪板22の取付面の間を風下側に緩く凸な凸部とし、防雪板22の凸部の上側傾斜面のほぼ全面に多数の透孔を設ける。
【００３６】
以上の実施例では、構造物出入口等として覆道やトンネル及びシェルターを示したが、ビルディングや木造家屋などでも、屋上がほぼ平らなものであれば良い。
【００３７】
また、防雪板が半円弧状に凸な防雪板５や台形状に凸な防雪板15の例を示したが、防雪板は取付面の間を風下側に緩く凸な凸部としたものであれば良く、水滴が落下するような鋭角な水切り部分が無ければ良い。
【符号の説明】
【００３８】
１  雪庇防止柵
５  防雪板
６  取付面
８  凸部
９  透孔
15  防雪板
16  取付面
18  凸部
18a  上側傾斜面
19  透孔
21  雪庇防止柵
【図１】
0003162243.tif 000003
【図２】
0003162243.tif 000004
【図３】
0003162243.tif 000005
【図４】
0003162243.tif 000006
【図５】
0003162243.tif 000007
【図６】
0003162243.tif 000008
【図７】
0003162243.tif 000009
【図８】
0003162243.tif 000010